(57)【要約】【課題】指示位置検出手段の操作によって表示手段に表示された文字を入力する入力方法及び入力装置並びコンピュータにより読取可能なプログラムに関し、文字入力を容易に行える入力方法及び入力装置並びコンピュータにより読取可能なプログラムを提供することを目的とする。【解決手段】本発明は、表示手段と、表示手段の表示画面上の指示位置を検出する指示位置検出手段とを有し、指示位置検出手段の操作によって、表示手段に表示された文字を入力する入力方法であって、指示位置検出手段により表示画面に表示された文字群のうち所定の文字が指示されたときに、表示画面を所定の文字に応じた文字群が表示された表示画面に切り換えることを特徴とする。【選択図】 図１
2006209418.tif 000002
【特許請求の範囲】
【請求項１】
表示手段と、該表示手段の表示画面上の指示位置を検出する指示位置検出手段とを有し、前記指示位置検出手段の操作によって、該表示手段に表示された文字を入力する入力方法であって、
前記指示位置検出手段により前記表示画面に表示された文字群のうち所定の文字が指示されたときに、前記表示画面を前記所定の文字に応じた文字群が表示された表示画面に切り換えることを特徴とする入力方法。
【請求項２】
切り換え後の表示画面は、前記所定の文字及びその周囲の文字からなる文字群が拡大表示された構成であることを特徴とする請求項１記載の入力方法。
【請求項３】
切り換え前の表示画面には、すべての文字が縮小表示されることを特徴とする請求項２記載の入力方法。
【請求項４】
前記指示位置検出手段により決定操作が行われたときに、前記指示位置検出手段により指示されている文字を入力文字として決定することを特徴とする請求項１乃至３のいずれか一項記載の入力方法。
【請求項５】
前記入力文字が決定されたときに、前記表示画面を最初の画面に戻すことを特徴とする請求項２乃至４のいずれか一項記載の入力方法。
【請求項６】
前記決定操作は、前記所定の文字を所定時間、指示する操作であることを特徴とする請求項２乃至５のいずれか一項記載の入力方法。
【請求項７】
切り換え前の表示画面と切り換え後の表示画面とで、同じ位置に、同じ文字を表示することを特徴とする請求項１乃至６のいずれか一項記載の入力方法。
【請求項８】
前記決定操作は、複数の決定操作を有し、
前記複数の決定操作から一又は二以上の決定操作の選択及び／又は各決定操作の調整が可能とされたことを特徴とする請求項１乃至７のいずれか一項記載の入力方法。
【請求項９】
表示手段と、該表示手段の表示画面上の指示位置を検出する指示位置検出手段とを有し、前記指示位置検出手段の操作によって、該表示手段に表示された文字を入力する入力装置であって、
前記指示位置検出手段により前記表示画面に表示された文字群のうち所定の文字が指示されたときに、前記表示画面を前記所定の文字に応じた文字群が表示されるように切り換える処理手段を有することを特徴とする入力装置。
【請求項１０】
コンピュータに、
表示手段の表示画面上の指示位置を検出する指示位置検出手段により、前記表示画面に表示された文字群のうち所定の文字が指示されたときに、前記表示画面を前記所定の文字に応じた文字群が表示させた表示画面に切り換えさせることを特徴とするコンピュータにより読取可能なプログラム。
【発明の詳細な説明】
【技術分野】
【０００１】
本発明は、入力方法及び入力装置並びコンピュータにより読取可能なプログラムに係り、特に、指示位置検出手段の操作によって表示手段に表示された文字を入力する入力方法及び入力装置並びコンピュータにより読取可能なプログラムに関する。
【背景技術】
【０００２】
携帯電話は、操作ボタンやキーに記号や文字が割り振られており、操作ボタンやキーを操作することによって、割り振られた記号や文字の入力が可能とされている。このとき、操作ボタン及びキーの数を減少させるため、各ボタンやキーには、複数の記号や文字が割り振られており、操作回数によって、異なる記号や文字が出現するように設定されていた。
【０００３】
例えば、１０個の操作ボタンに「あ」、「か」、「さ」、「た」、「な」、「は」、「ま」、「や」「ら」、「わ」が表示されており、各ボタンには、あ行、か行、さ行、た行、な行、は行、ま行、や行、ら行、「わ、を、ん」の文字が割り振られている。ここで、「あ」が割り振られた操作ボタンを２回操作すると、「い」表示される。「い」が表示された状態で、決定ボタンを操作することにより、「い」が入力される。「お」を入力する場合には、「あ」が割り振られた操作ボタンを５回操作し、「お」を表示させ、決定ボタンを操作する。
【０００４】
また、文字入力操作を容易にするために、タッチパネルを使用した入力装置が搭載した情報処理装置が提案されていた。（特許文献１参照）。
【０００５】
さらに、携帯端末機器などにおいて操作を的確に行わせるために各操作ボタンのキートップに表示装置を設け、表示する文字を論理的に切り換えることにより、入力を容易にした入力装置が提案されていた（特許文献２参照）。
【０００６】
【特許文献１】特開平１０−９７３８４号公報
【特許文献２】特開２００３−１６２３６０号公報
【発明の開示】
【発明が解決しようとする課題】
【０００７】
しかるに、従来の携帯電話などの入力方法では、文字入力のための操作回数が多く、操作が煩雑になるなどの課題があった。
【０００８】
また、各操作ボタンのキートップに表示装置を搭載して、操作に応じて表示を切り換えることにより、入力を容易にした構成の入力装置では、操作ボタンの数及びサイズは固定であり、表示される情報量が少なく、また、操作キーの数も制限されているため、結局は、操作回数が多くなるなどの課題があった。
【０００９】
本発明は上記の点に鑑みてなされたもので、文字入力を容易に行える入力方法及び入力装置並びコンピュータにより読取可能なプログラムを提供することを目的とする。
【課題を解決するための手段】
【００１０】
本発明は、表示手段と、表示手段の表示画面上の指示位置を検出する指示位置検出手段とを有し、指示位置検出手段の操作によって、表示手段に表示された文字を入力する入力方法であって、指示位置検出手段により表示画面に表示された文字群のうち所定の文字が指示されたときに、表示画面を所定の文字に応じた文字群が表示された表示画面に切り換えることを特徴とする。
【００１１】
また、切り換え後の表示画面は、所定の文字及びその周囲の文字からなる文字群が拡大表示された構成であることを特徴とする。さらに、切り換え前の表示画面には、すべての文字が縮小表示されたことを特徴とする。
【００１２】
また、指示位置検出手段により決定操作が行われたときに、指示位置検出手段により指示されている文字を入力文字として決定することを特徴とする。さらに、入力文字が決定されたときに、表示画面を最初の画面に戻すことを特徴とする。
【００１３】
また、決定操作は、所定の文字を複数回、連続して指示する操作であることを特徴とする。
【００１４】
さらに、決定操作は、所定の文字を所定時間、指示する操作であることを特徴とする。
【００１５】
また、切り換え前の表示画面と切り換え後の表示画面とで、同じ位置に、同じ文字を表示することを特徴とする。
【発明の効果】
【００１６】
本発明によれば、指示位置検出手段により表示画面に表示された文字群のうち所定の文字が指示されたときに、表示画面を所定の文字に応じた文字群が表示されるように切り換えることにより、簡単な操作で文字を入力することが可能となる。
【発明を実施するための最良の形態】
【００１７】
〔システム構成〕
本実施例では、携帯電話を例に説明を行う。
【００１８】
図１は本発明の一実施例のシステム構成図、図２は本発明の一実施例の斜視図を示す。
【００１９】
本実施例の携帯電話１００は、入力部１１１、制御部１１２、記憶部１１３、通信部１１４、表示部１１５、音声入出力部１１６を含む構成とされている。
【００２０】
入力部１１１は、タッチパネル１２１、及び、表示部でもある液晶パネル１２２、並びに、操作キー部１２３を含む構成とされている。タッチパネル１２１は、操作者が接触した位置を検出し、接触位置の座標情報を出力する。タッチパネル１２１で検出された座標情報は、制御部１１２に供給される。
【００２１】
また、液晶パネル１２２は、制御部１１２から供給される表示情報に基づいて操作ボタンなどの表示が行われる。さらに、操作キー部１２３は、マイクロスイッチなどから構成された複数の操作キーから構成されており、カーソルの移動方向、電話の受信、切断、文字種切換、決定などの操作を行う。
【００２２】
制御部１１２は、例えば、記憶部１１３に記憶されたプログラムに基づいて入力部１１１の操作に応じた文字の設定、変換、入力などの処理を行う。記憶部１１３は、不揮発性メモリから構成されており、文字入力プログラムの他、設定情報及びカナ漢字変換辞書などが記憶されている。
【００２３】
通信部１１４は、制御部１１２と基地局との通信制御を行う。表示部１１５は、液晶ディスプレイから構成されており、入力部１１１により設定、変換、入力された文字列などを表示する。
【００２４】
〔文字入力処理〕
図３は制御部１１２による文字入力処理の処理フローチャートを示す。
【００２５】
制御部１１２は、ステップＳ１−１で入力部１１１が操作されると、ステップＳ１−２で切替キー１２３ａが操作されたか否かを判定する。制御部１１２は、ステップＳ１−２で切替キー１２３ａが操作されると、ステップＳ１−３で入力画面切替処理を実行する。入力画面切替処理は、入力すべき文字種を決定するための画面であり、例えば、かな入力画面、カタカナ入力画面、英字入力画面、数字入力画面などに切り替え可能とされている。
【００２６】
また、制御部１１２は、ステップＳ１−４でタッチパネル１２１が操作されると、ステップＳ１−５で文字設定処理を実行する。文字設定処理は、入力画面上に表示された文字群から所望の文字を設定するための処理である。
【００２７】
さらに、制御部１１２は、ステップＳ１−６でカーソルボタン１２３ｂ、１２３ｃ、１２３ｄ、１２３ｅが操作されると、ステップＳ１−７でカーソル移動処理を実行する。カーソル移動処理は、表示画面を上下左右に移動させるための処理である。
【００２８】
また、制御部１１２は、ステップＳ１−８で変換キー１２３ｆ、又は、決定キー１２３ｇが操作されると、ステップＳ１−９で文字変換・決定処理を実行する。文字変換・決定処理は、文字設定処理で設定された文字を変換するとともに、最終的に確定するための処理である。
【００２９】
〔入力画面切替処理〕
図４は入力画面切替処理の処理フローチャート、図５は入力画面切替処理時の画面遷移図を示す。
【００３０】
制御部１１２は、切替キー１２３ａが操作されるとステップ２−１で切替画面を表示する。切替画面は、表示部１２２に表示された表示画面であり、例えば、図５（Ａ）に示すような画面となる。切替画面には、漢字入力画面表示キーＫ１、カタカナ入力画面表示キーＫ２、かな入力画面キーＫ３、英字入力画面キーＫ４、数字入力画面キーＫ５などの各種が表示されている。
【００３１】
制御部１１２は、ステップＳ２−２で、タッチパネル１２１の漢字入力画面表示キー２１１の表示に対応した領域で位置検出が行われると、ステップＳ２−３で図５（Ｂ）に示すように漢字設定用第１画面が表示される。漢字設定用第１画面には、例えば、漢字を構成する辺、旁が表示される。
【００３２】
また、制御部１１２は、ステップＳ２−４で、かな入力画面キー１１３が操作されると、ステップＳ２−５でかな設定用第１画面が表示される。かな設定用第１画面は、図５（Ｃ）に示すように「あ」、「か」、「さ」、「た」、「な」、「は」、「ま」、「や」、「ら」、「わ」などのひらがなを構成する５１音の文字のうちの代表的な文字に対応した複数のキーから構成されている。
【００３３】
さらに、制御部１１２は、ステップＳ２−６で、英文入力画面キー１１２が操作されると、ステップＳ２−７でカタカナ設定用第１画面が表示される。カタカナ設定用第１画面は、図５（Ｄ）に示すように「ア」、「カ」、「サ」、「タ」、「ナ」、「ハ」、「マ」、「ヤ」、「ラ」、「ワ」などのカタカナを構成する５１音の文字のうちの代表的な文字に対応した複数のキーから構成されている。
【００３４】
また、制御部１１２は、ステップＳ２−８で、英字入力画面キー１１４が操作されると、ステップＳ２−９で英字設定用第１画面が表示される。英字設定用第１画面は、図５（Ｅ）に示すように「ＡＢＣ」、「ＤＥＦ」、「ＧＨＩ」、「ＪＫＬ」、「ＭＮＯ」、「ＰＱＲＳ」、「ＴＵＶ」、「ＷＸＹＺ」などの２７個の英字を３または４つ毎に群分けした複数のキーから構成されている。
【００３５】
さらに、制御部１１２は、ステップＳ２−１０で、数字入力画面キー１１５が操作されると、ステップＳ２−１１で数字設定用画面が表示される。数字設定用画面には、例えば、「０」、「１」〜「９」や記号などの複数のキーが表示される。
【００３６】
上記の入力画面切替処理により表示された入力画面に基づいて入力文字の設定が行われる。
【００３７】
〔文字設定処理〕
図６は文字設定処理の処理フローチャート、図７は文字設定処理時の画面遷移図を示す。
【００３８】
制御部１１２は、ステップＳ３−１で入力画面が表示された状態で、ステップＳ３−２でキー操作が行われると、ステップＳ３−３で第２画面を表示する。例えば、図７（Ａ）に示すようにカタカナ設定用第１画面が表示されている状態で、タッチパネル１２１の「ハ」のキーに対応した部分を押下すると、図７（Ｂ）に示すようにハ行の全角文字、破裂音の文字、濁音の文字及び小文字などに対応した操作キーが一覧表示されたカタカナ設定用第２画面が表示部１２２に表示される。
【００３９】
制御部１１２は、ステップＳ３−４で文字設定操作が行われると、ステップＳ３−５で指定した文字を入力文字として設定する。文字設定操作は、例えば、タッチパネル１２１の「ハ」、「ヒ」、「フ」、「へ」、「ホ」などに対応した操作キー表示の部分をダブルクリック或いは所定時間、押下し続ける操作、あるいは、キーを指定後、決定キー１２３ｇを押下する操作である。
【００４０】
以上により、入力しようとする文字が表示部１１５に表示される。なお、この段階では、表示部１１５に表示された文字は、未確定状態である。
【００４１】
〔カーソル移動処理〕
なお、図７（Ｂ）は操作キーが一覧表示された表示について説明したが、文字数が多かったり、文字サイズが大きかったりして、表示画面上に表示できない操作キーがでてくる場合には、カーソル移動処理により画面を移動させることにより文字選択を可能にしてもよい。
【００４２】
図８はカーソル移動処理の処理フローチャート、図９はカーソル移動処理時の画面遷移図を示す。
【００４３】
制御部１１２は、ステップＳ４−１でユーザが現在表示画面の上方に隠れた部分の表示を参照することを目的として上方向キー１２３ｂが操作されると、ステップＳ４−２で図９（Ａ）に示す表示画面から図９（Ｂ）に示すように表示部１２２又は表示部１１５に表示された画面を下方向、矢印Ｙ２方向に移動させる。また、制御部１１２は、ステップＳ４−３でユーザが現在表示画面の下方に隠れた部分の表示を参照することを目的として下方向キー１２３ｃが操作されると、ステップＳ４−４で図９（Ｃ）に示すように表示部１２２又は表示部１１５に表示された画面を上方向、矢印Ｙ１方向に移動させる。
【００４４】
さらに、制御部１１２は、ステップＳ４−５でユーザが現在表示画面の右方向に隠れた部分の表示を参照することを目的として左方向キー１２３ｄが操作されると、ステップＳ４−６で図９（Ｄ）に示すように表示部１２２又は表示部１１５に表示された画面を右方向、矢印Ｘ１方向に移動させる。制御部１１２は、ステップＳ４−７でユーザが現在表示画面の左方向に隠れた部分の表示を参照することを目的として右方向キー１２３ｅが操作されると、ステップＳ４−８で図９（Ｅ）に示すように表示部１２２又は表示部１１５に表示された画面を左方向、矢印Ｘ２方向に移動させる。なお、タッチパネル１２１上にカーソルを表示して、その操作により移動させるようにしてもよい。
【００４５】
以上により、表示部１２２又は表示部１１５の画面を移動させることが可能となる。なお、タッチパネル１２１の操作により移動させるようにしてもよい。
【００４６】
図１０は文字設定処理時の表示画面の変形例の画面遷移図を示す。
【００４７】
さらに、図１０（Ａ）に示すように視力の低い人のために表示する文字サイズを、例えば、１画面２文字表示のように大きくし、上記のようなカーソル移動処理、或いは、所定時間毎に図１０（Ｂ）に示すように表示画面をスクロールすることにより、文字を選択可能にしてもよい。なお、文字サイズ、表示文字数などは必要に応じて設定可能とされている。
【００４８】
〔文字変換・決定処理〕
図１１は文字変換・決定処理の処理フローチャート、図１２は文字変換・決定処理時の画面遷移図を示す。
【００４９】
制御部１１２は、ステップＳ５−１で図１２（Ａ）に示すように未確定文字があり、ステップＳ５−２で変換操作が行われた場合には、ステップＳ５−３で図１２（Ｂ）に示すように未確定文字の変換を行う。変換操作は、例えば、上方向キー１２３ｂ、下方向キー１２３ｃの押下による。また、未確定文字の変換は、例えば、かな−漢字変換などである。制御部１１２は、ステップＳ５−４で決定キー１２３ｇが操作されると、ステップＳ５−５で入力文字を確定する。
【００５０】
以上により、未確定文字が変換、確定される。
【００５１】
〔設定処理〕
次に設定処理について説明する
図１３は操作設定処理の処理フローチャートを示す。
【００５２】
制御部１１２は、ステップＳ７−１で操作設定操作が行われると、ステップＳ７−２で設定前状態を保存する。なお、これは、入力方法の変更後、設定前の画面に戻れるようにするためのものである。次に制御部１１２は、ステップＳ７−３で設定メニューを表示する。設定メニューでは、表示設定と入力方法設定とが選択可能とされている。
【００５３】
制御部１１２は、ステップＳ７−４で設定メニューのうち表示設定が選択されると、ステップＳ７−５で表示メインメニューを表示する。表示メインメニューでは、文字サイズ設定、及び、縦横表示方法設定の選択が可能とされている。
【００５４】
制御部１１２は、ステップＳ７−６で文字サイズ設定が選択されると、ステップＳ７−７で文字サイズ設定画面が表示される。制御部１１２は、ステップＳ７−８で設定画面から必要な文字の大きさを選択する操作が行われると、ステップＳ７−９で選択された文字の大きさを記憶部の設定情報テーブルに設定する。なお、ここでは、画面毎に表示する文字サイズを選択することを想定しているが、文字毎に表示する文字サイズを設定するようにしてもよい。制御部１１２は、ステップＳ７−９で文字サイズが設定されると、ステップ７−１０でスクロール速度設定画面を表示する。
【００５５】
また、制御部１１２は、ステップＳ７−６で縦横表示方法設定が選択されると、ステップＳ７−１１で縦横表示方法設定画面が表示される。制御部１１２は、ステップＳ７−１２で縦横表示設定操作を行うと、ステップＳ７−１３で操作に応じた表示画面を記憶部の設定情報テーブルに設定する。制御部１１２は、ステップＳ７−１３で縦横表示の設定が行われると、ステップ７−１０でスクロール速度設定画面を表示する。
【００５６】
さらに、制御部１１２は、ステップＳ７−１４でスクロール速度設定操作が行われると、ステップＳ７−１５でスクロール速度を記憶部の設定情報テーブルに設定する。
【００５７】
また、制御部１１２は、ステップＳ７−４で設定メニューのうち入力方法設定が選択されると、ステップＳ７−１６で入力方法メインメニューを表示する。入力方法メインメニューでは、複数の入力方法及びタイミングなどの設定可能とされている。
【００５８】
制御部１１２は、ステップＳ７−１７で入力方法設定操作が行われると、ステップＳ７−１８で入力方法設定操作に応じた設定値を記憶部の設定情報テーブルに設定する。
【００５９】
ステップＳ７−１５、ステップＳ７−１８で設定処理が終了すると、ステップＳ７−１９で設定前状態に復帰して処理が終了する。
【００６０】
なお、入力方法の設定項目としては、例えば、ツータッチ設定、ダブルクリック設定、擬似ダブルクリック設定、長押し設定、時間移動設定、タッチ部拡大設定、長押し時間設定、移動時間間隔設定などがある。
【００６１】
ツータッチ設定は、入力方法としてツータッチ操作を設定するための設定項目である。ダブルクリック設定は、入力方法としてダブルクリックを設定するための設定項目である。擬似ダブルクリック設定は、入力方法として擬似ダブルクリックによる入力を設定するための設定項目である。
【００６２】
図１４は擬似ダブルクリックの動作説明図を示す。
【００６３】
擬似ダブルクリックは、第１画面の押下位置の文字と同じ文字が第２画面の同じ位置に表示することにより、擬似的にダブルクリックと同等の機能を実現するための操作である。例えば、図１４（Ａ）の第１画面で「さ」の位置を押下すると、表示部１２２の表示が図１４（Ｂ）に示すような第２画面に遷移する。このとき、第１画面の「さ」と同じ位置に「さ」が表示されるように第２画面が設定されている。
【００６４】
長押し設定は、入力方法として長押しによる入力を設定するための設定項目である。長押し設定は、第１画面あるいは第２画面において、例えば、操作キーを所定時間押下し続けたときに、指定された文字を設定する処理である。
【００６５】
時間移動設定は、入力方法として時間移動による入力を設定するための設定項目である。
【００６６】
図１５は時間移動による入力動作を説明するための図である。図１５（Ａ）は横方向移動、図１５（Ｂ）は縦方向移動を示す。
【００６７】
図１５において選択可能なキーを梨地で示しており、梨地のキーは、例えば、表示される色が他のキーとは異なる。
【００６８】
横方向移動時には、図１５（Ａ）に示すように所定時間毎に破線矢印で示すように梨地で示す選択可能なキーが移動していく。ユーザは、入力したい文字のキーが梨地になったときに、ＯＫキーを押下することにより、梨地でされるキーの文字が設定される。
【００６９】
なお、図１５（Ｂ）に破線矢印で示すように縦方向に移動するようにしてもよい。
【００７０】
長押し時間設定は、長押しによる文字設定時の押下時間の設定である。
【００７１】
移動時間間隔設定は、時間移動による入力方法が設定されたときに、自動的に選択文字、図１５に梨地で示すキーを切り換える時間を設定するための設定項目である。
【００７２】
タッチ部拡大設定は、タッチパネル１２１を押下した部分の表示文字を拡大表示するための設定である。
【００７３】
以上の各種設定は、記憶部１１３に設定情報として登録される。
【００７４】
図１６は設定値情報のデータ構成図を示す。
【００７５】
上記の設定情報は、かな、カタカナ、英字、数字などの画面種毎、及び第１画面、第２画面などの画面位度毎に設定可能とされており、１行の文字数、時間移動による入力時の移動方向を示す縦横移動方向、明朝、ゴシックなどの表示する文字のフォントを示すフォント名、表示する文字の色を示す色番号、文字のサイズを示す半角種別、入力方法の別を示す入力方法、スクロール時の移動速度を示すスクロール速度、移動時間間隔設定により設定される移動時間、ダブルクリックのタイミングを示すダブルクリックタイミング時間、長押し時間設定により設定される長押し時間などの情報から構成されている。
【００７６】
〔文字設定処理の変形例〕
なお、第１画面で表示部１２２に全文字を表示し、第２画面でタッチパネル１２１の押下部分の周囲の文字を拡大表示し、拡大表示された文字から設定文字を確定するようにしてもよい。
【００７７】
図１７は文字設定処理の変形例の処理フローチャート、図１８は文字設定処理時の変形例の画面遷移図を示す。
【００７８】
制御部１１２は、ステップＳ８−１で図１８（Ａ）に示すように表示部１２２にひらがな、カタカナ、英文、数字などの全文字を縮小表示する。
【００７９】
次に、制御部１１２は、ステップＳ８−２でタッチパネル１２１を押下すると、ステップＳ８−３で表示部１２２に図１８（Ｂ）に示すように押下位置の周囲の文字を拡大表示する。制御部１１２は、ステップＳ８−４でタッチパネル１２１の押下を解除すると、ステップＳ８−５で図１８（Ｃ）に示すように表示部１２２に押下位置の文字に関連した文字群から構成される第２画面を表示する。制御部１１２は、ステップＳ８−６で文字設定操作が行われると、ステップＳ８−７で指定した文字を設定文字として設定する。これによって、設定文字が表示部１１２に未確定文字として表示される。
【００８０】
なお、拡大表示を行わずに、押下位置の文字に関連した文字群から構成される第２画面を表示するようにしてもよい。
【００８１】
図１９は文字設定処理の他の変形例の処理フローチャート、図２０は文字設定処理時の他の変形例の画面遷移図を示す。
【００８２】
制御部１１２は、ステップＳ９−１で図２０（Ａ）に示すように表示部１２２にひらがな、カタカナ、英文、数字などの全文字を縮小表示する。
【００８３】
次に、制御部１１２は、ステップＳ９−２でタッチパネル１２１を押下し、ステップＳ９−３で押下を解除すると、ステップＳ９−４で図２０（Ｂ）に示すように表示部１２２に押下位置の文字に関連した文字群から構成される第２画面を表示する。制御部１１２は、ステップＳ９−５で文字設定操作が行われると、ステップＳ９−６で指定した文字が設定文字として設定する。これによって、設定文字が表示部１１２に未確定文字として表示される。
【００８４】
〔第２変形例〕
なお、本実施例では、文字を第１の画面から第２の画面を表示させることにより、文字を設定入力するようにしたが、定例文を設定できるようにしてもよい。
【００８５】
図２１は本発明の一実施例の第２変形例の動作説明図を示す。
【００８６】
例えば、図２１（Ａ）に示すように第１画面表示に、定例文設定キー２１１を表示する。定例文設定キー２１１を操作することにより、図２１（Ｂ）に示すように第２画面表示として複数の定例文が表示される。表示された複数の定例文は、複数の定例文キー２１２として作用する。複数の定例文キー２１２のうち所望の定例文キーを操作することにより、定例文が設定される。
【００８７】
本変形例によれば、最低２回の操作で定例文を表示部１１２に設定することができる。
【００８８】
〔適用例〕
図２２に本発明の一実施例の適用例のシステム構成図を示す。
【００８９】
本適用例のシステム２００は、携帯電話１００からネットワーク２０１を経由して、サーバ２０２にアクセス可能な構成とされている。サーバ２０２には、携帯電話１００のユーザ毎の設定情報が記憶されている。
【００９０】
設定情報は、図１６に示す設定情報データベースと同じ構成とされている。
【００９１】
携帯電話１００のユーザは、設定情報をサーバ２０２の設定情報データベースに登録しておくことにより、携帯電話１００を初期化したり、携帯電話１００を新しくしたりした場合でもサーバ２０２の設定情報データベースにアクセスして、設定情報をダウンロードすることにより、前に使用していた動作環境と同じ動作環境で、携帯電話を使用することが可能となる。
【００９２】
〔その他〕
なお、本実施例では、キー配列は、横３文字×縦４文字の１２文字の入力する構成について説明したが、一覧表示を行うようにしてもよい。
【００９３】
なお、本実施例では、携帯電話を例に説明を行ったが、本実施例の入力装置は、携帯電話だけでなく、ＰＤＡ、携帯型コンピュータ、ＡＴＭなど他の情報処理装置にも適用可能であることは言うまでもない。
【００９４】
また、制御部１１２で実行されるプログラムは、通信部１１４によりネットワークを介してプロバイダ等のサーバにアップロード或いはダウンロードして利用することも可能である。
【図面の簡単な説明】
【００９５】
【図１】本発明の一実施例のシステム構成図である。
【図２】本発明の一実施例の斜視図である。
【図３】制御部１１２による文字入力処理の処理フローチャートである。
【図４】入力画面切替処理の処理フローチャートである。
【図５】入力画面切替処理時の画面遷移図である。
【図６】文字設定処理の処理フローチャートである。
【図７】文字設定処理時の画面遷移図である。
【図８】カーソル移動処理の処理フローチャートである。
【図９】カーソル移動処理時の画面遷移図である。
【図１０】文字設定処理時の表示画面の変形例の画面遷移図である。
【図１１】文字変換・決定処理の処理フローチャートである。
【図１２】文字変換・決定処理時の画面遷移図である。
【図１３】操作設定処理の処理フローチャートである。
【図１４】擬似ダブルクリックの動作説明図である。
【図１５】時間移動による入力動作を説明するための図である。
【図１６】設定値データベースのデータ構成図である。
【図１７】文字設定処理の変形例の処理フローチャートである。
【図１８】文字設定処理時の変形例の画面遷移図である。
【図１９】文字設定処理の他の変形例の処理フローチャートである。
【図２０】文字設定処理時の他の変形例の画面遷移図である。
【図２１】本発明の一実施例の第２変形例の動作説明図である。
【図２２】本発明の一実施例の適用例のシステム構成図である。
【符号の説明】
【００９６】
１００  携帯電話、１１１  入力部、１１２  制御部、１１３  記憶部、１１４  通信部
１１５  表示部、１１６  音声入出力部
１２１  タッチパネル、１２２  表示部、１２３  操作キー
１２３ａ  切替キー、１２３ｂ、１２３ｃ、１２３ｄ、１２３ｅ  カーソルキー
１２３ｆ  変換キー、１２３ｇ  決定キー
【図１】
2006209418.tif 000003
【図２】
2006209418.tif 000004
【図３】
2006209418.tif 000005
【図４】
2006209418.tif 000006
【図５】
2006209418.tif 000007
【図６】
2006209418.tif 000008
【図７】
2006209418.tif 000009
【図８】
2006209418.tif 000010
【図９】
2006209418.tif 000011
【図１０】
2006209418.tif 000012
【図１１】
2006209418.tif 000013
【図１２】
2006209418.tif 000014
【図１３】
2006209418.tif 000015
【図１４】
2006209418.tif 000016
【図１５】
2006209418.tif 000017
【図１６】
2006209418.tif 000018
【図１７】
2006209418.tif 000019
【図１８】
2006209418.tif 000020
【図１９】
2006209418.tif 000021
【図２０】
2006209418.tif 000022
【図２１】
2006209418.tif 000023
【図２２】
2006209418.tif 000024